(57)【特許請求の範囲】
【請求項１】
五線譜上に複数の音符からなる楽譜データを表示する楽譜表示装置であって、
拍子によって表示位置が異なる小節表示は行わず、拍子によって表示位置が異なることがなく且つ特定の音符換算で所定数毎に上記五線譜上に曲頭からの位置を示すマークを付記することを特徴とする楽譜表示装置。
【発明の詳細な説明】
【０００１】
【発明の属する技術分野】
本発明は、楽譜表示装置に関する。
【０００２】
【従来の技術】
一般に、音符が記載される五線譜には、ト音記号、ヘ音記号等の音部記号と共に小節の区切記号（以下では、小節表示という。）が付記される。この小節表示は、楽曲の拍子を明らかにすると共に、曲全体における音符の位置を判断する上で非常に重要であるものである。
【０００３】
【発明が解決しようとする課題】
しかし、特開平９−３１１６７８号公報等で提案されているように楽譜を液晶等からなる表示装置に表示する場合、楽譜全体を１画面に表示することは不可能であり、特に複数のパートからなる曲の楽譜を表示しようとすると各パートを数小節程度しか表示できず、小節表示だけでは曲全体における音符の位置を判断することができないという問題があった。
【０００４】
また、楽譜表示機能を有する装置を利用してユーザが曲を自作する場合等には、上記小節表示は必ずしも必要はなく、かつ上記小節表示を付記しようとするとユーザ自身が相当な音楽知識を有していなければならない。更に、このようなユーザにとって、小節表示だけで表示されている音符の曲中でも概略位置を知ることは非常に困難である。
【０００５】
【課題を解決するための手段】
本発明は上述の課題に鑑みてなされたもので、その特徴は、五線譜上に複数の音符からなる楽譜データを表示する楽譜表示装置であって、拍子によって表示位置が異なる小節表示は行わず、拍子によって表示位置が異なることがなく且つ特定の音符換算で所定数毎に上記五線譜上に曲頭からの位置を示すマークを付記することにある。
【０００６】
【発明の実施の形態】
図1は本発明を適用してなる携帯端末装置１の一実施例を示す上面図であり、該装置１本体の略中央には液晶ディスプレイ表面に透明タッチパネルを重畳してなる表示部２が配され、上辺部には電源状態、装置の駆動状態等を視認可能とするための複数のランプ手段３が配されている。また、上記表示部２の周辺部には、電源スイッチ４、ホームスイッチ５、インターネットスイッチ６、メールスイッチ７及びスピーカ８が配されている。上記電源スイッチ４は文字どおり装置１の電源をオン・オフするためのスイッチであり、上記ホームスイッチ５は後述するホーム画面（図2参照）への移行を指示するスイッチであり、上記インターネットスイッチ６はインターネット接続を指示するスイッチであり、上記メールスイッチ７は電子メール処理への移行を指示するスイッチである。
【０００７】
また、上記装置1本体内には、図示しないものの、以下で説明する動作をはじめとする本実施例装置1の全体の制御を司るＣＰＵ、該ＣＰＵの制御プログラム及び書換不要の固定データ等が格納されたＲＯＭ、上記制御時必要となる各種変数及び書換可能な各種データを格納するための半導体ランダムアクセスメモリやハードディスクドライブ等からなるＲＡＭ、インターネット接続のために必要となる通信回路、後述する楽譜データを再生し上記スピーカ８より出力させるためのＦＭ音源等からなる音源回路、上記表示器２を駆動制御するための制御回路及び駆動電力を供給するための電源回路等、本実施例装置１を動作させるために必要な回路が内蔵されている。尚、このような回路は本実施例が対象とする携帯端末装置では周知であるので、詳細な説明は省略する。
【０００８】
次に、本実施例装置の動作について説明するに、本実施例装置１の電源スイッチ４を投入すると、表示部２には図２に示す機能選択画面１００が表示される。この画面１００は、アドレス帳の編集機能の起動を指示するためのアドレス帳領域１０１、上記スイッチ７と同様に電子メール機能の起動を指示するためのメール領域１０２、上記スイッチ６と同様にインターネット接続を指示するためのインターネット領域１０３、ユーザが上記ＲＡＭに格納したデータの呼出を指示するための保管庫領域１０４、カレンダー機能の起動を指示するためのカレンダー領域１０５、メモ帳機能の起動を指示するためのメモ領域１０６、後述する楽譜作成機能等の起動を指示するためのＭＯＲＥ領域１０７、及び上記インターネット接続のための設定等装置１の基本的な動作環境等の設定機能を起動するための設定領域１０８が表示され、各領域１０１〜１０８表面をタッチすることにより各領域に対応した機能が起動される。なお、上記アドレス帳、メール、インターネット、保管庫、カレンダー、メモ、及び設定の各機能はこの種装置においては従来周知の機能であり、本発明には直接関係するものではないため説明を省略する。
【０００９】
また、上記機能選択画面１００は、上記ホームスイッチ５の操作により後述する如何なる画面状態からでも戻ることが出来る所謂ホーム画面であるため、以下ではホーム画面と称す。
【００１０】
上記ホーム画面１００上のＭＯＲＥ領域１０８がタッチされると、表示部２には、図３に示す如くＭＯＲＥ一覧画面２００とホーム画面１００で表示された各領域を表示した機能選択バー３００とが表示される。
【００１１】
上記ＭＯＲＥ一覧画面２００には、ゲーム等のアプリケーションソフトの表題が表示される。具体的には、本実施例では、楽譜データ編集ソフトの起動を指示するためのメロディ領域２０１及び作画ソフトの起動を指示するためのお絵描き領域２０２が表示される。
【００１２】
上記機能選択バー３００は、上記ホーム画面１００以外の画面が表示された状態では、常に表示部２の下端に表示されるもので、各機能名称表示部をタッチすることにより、ホーム画面１００に戻ることなく、上述した各機能を選択的に起動可能とするものである。また、図３に示す如く、現在実行中の機能名称は他の機能名称と異なった表示形態となっている。
【００１３】
上記ＭＯＲＥ一覧画面２００上のメロディ領域２０１がタッチされると、表示部２には、図４及び図５に示す如く楽譜データ編集画面４００及び上述の機能選択バー３００が表示される。
【００１４】
上記楽譜データ編集画面４００は、コマンドライン４１０と、一方が選択的に前面に表示されるように常に重畳されるパートシート４３０及びスコアシート４５０とを有する。尚、上記パートシート４３０とスコアシート４５０との切換表示は、両シートともに他のシートの背面側に位置する場合であっても常に「パート」、「スコア」と記載されたタグ部分は表示されるので、背面側に位置するシートを前面に表示したい場合には、そのシートのタグ部分をタッチすることにより、上記所望シートを前面側に表示できる。
【００１５】
上記コマンドライン４１０に表示される指示領域は、上記ＭＯＲＥ一覧画面２００へ戻ることを指示するための戻る領域４１１、後述する複数のパートの同時再生を指示するためのメロディ再生領域４１２、再生の停止を指示するための停止領域４１３及び各パート毎の再生時の音色及び再生速度（テンポ（拍／分））を入力するためのポップアップ表示画面（図６）の表示を指示する曲設定領域４１４以外は、上記パートシート４３０とスコアシート４５０との表示切換に連動して変更される。尚、以下ではこの４領域を共有領域と称す。
【００１６】
具体的には、図４に示す如くパートシート４３０が前面に表示されている状態では、上記共有領域に加えて、後述するようにこのシート４３０上の五線譜領域４３３に表示されている音符の再生のみを指示するためのパート再生領域４１５、五線譜領域４３３に表示されている音符の一部のコピーを指示するため機能の起動を指示するためのコピー領域４１６、該コピー機能に従ってコピーされた音符の五線譜領域４２３上への貼り付けを指示するための貼付け領域４１７、上記五線譜領域４２３に表示されている全ての音符の消去を指示するための全音クリア領域４１８、及び上記五線譜領域４３３に表示されたカーソル（後述）位置に表示されている音符のみの削除を指示するための一音削除領域４１９が表示される。一方、図５に示す如くスコアシート４５０が前面に表示された状態では、上記共有領域に加えて、その時点でスコアシート４５０上に表示されている楽曲の上述のＲＡＭへの格納保存を指示するための保存領域４２０、及びその時点でスコアシート４５０上に表示されている楽曲のクリアを指示するための捨てる領域４２１が表示される。
【００１７】
上記パートシート４３０は、図４に示す如く、音の高さ（音階）を指示するためにピアノ等のキーに対応付けた３オクターブ分の複数のキー部からなる鍵盤領域４３１と、音の長さを示す各種音符が表示された音符領域４３２と、ト音記号が付された五線譜領域４３３と、該五線譜領域４３３に表示された音符の音階をドレミ表記で表示する音階表示部４３４と、上記五線譜領域４３３に表示された音符の音階が実際にはト音記号が付された上記五線譜領域４３３に属する高さの音か否かを示す記号を表記する高低表記領域４３５と、上記五線譜領域４３３に表示された音符（楽譜データ）が複数のパート（本実施例では４パート）の中のいずれのパートのものであるかを示すパート表示領域４３６と、曲名やテンポを表示する基礎データ表示領域４３７と、スクロールバー４３８とを備える。
【００１８】
上記音符領域４３２の各音符表示領域（本実施例では８領域）は、その時点でユーザに選択されている音符が表示された領域の表示形態が他の領域と異なる形態となる。例えば、４分音符が選択されている場合には図４に示す如く、４分音符の表示領域の表示形態だけが異なる。尚、上記音符の選択切換は、所望の音符が表示された領域をユーザがタッチすることにより行なえる。
【００１９】
上記五線譜領域４３３には、上記鍵盤領域４３１のタッチされたキー及びその時点で選択されている上記音符領域４３２の音符に従って、カーソル４３９位置に所定の音符が表示される。
【００２０】
また、上記五線譜領域４３３は、ト音記号が付された五線譜であるため、基本的には鍵盤領域４３１の略中央の２オクターブ分のシ〜ラに対応する音階（図４中矢印で示す範囲：以下では、説明の都合上、基本音階範囲と称す。）しか表示できないが、本実施例装置では上記基本音階範囲以外の低い又は高い音階も同一の譜面上に表示する。具体的には、例えば上記基本音階範囲より低い音階ラは、上記基本音階範囲内の音階ラと同一の五線譜上の位置に表示させるが、その音符の色は上記基本音階範囲内の音階ラの音符の表示色とは異なる第２の色で表示し、また、上記基本音階範囲より高い音階シは、上記基本音階範囲内の音階シと同一の五線譜上の位置に表示させるが、その音符の色は上記基本音階範囲内の音階シの音符の表示色とも上記第２の色とも異なる第３の色で表示する。即ち、上記五線譜領域４３３において、上記基本音階範囲内の音階に対応する音符は第１の色で表示し、上記基本音階範囲より低い音階に対応する音符は第１の色と異なる第２の色で表示し、上記基本音階範囲より高い音階に対応する音符は第１、第２の色と異なる第３の色で表示する。これにより、唯一の五線譜上に上記基本音階範囲外の音階の音符も表示でき、且つユーザは上記五線譜領域４３３上に表示された各音符の実際の高低（音階）を容易に視認できる。
【００２１】
更に、五線譜領域４３３上における各音符の表示間隔は通常の楽譜に記載されているように直前の音符で示される音の長さに比例する。即ち、直前の音符が４分音符であるとある時入力音符が距離Ｌだけ離間した位置に表示されるとすると、直前の音符が８分音符であると入力音符は距離Ｌ／２だけ離間した位置に表示される。その後カーソル４３９は上記入力音符の五線譜領域４３３上における表示位置の直後に位置することとなる。
【００２２】
また、上記五線譜領域４３３には、入力表示マーク４４０が表示される。このマーク４４０は、先頭からの入力済み音符データのトータル長を示すマークであり、４分音符１２個分毎に表示され、順にマーク頭頂分に１２の倍数が表示される。尚、通常の楽譜では、小節表示を行なうが、この表示は拍子毎によって表示位置が異なるため一意的に表示することは不可能であり、かつ、このような小節表示は作成された楽曲の再生上不可欠なものでもなく、更にこのような小節表示を行なうためには音楽的知識が必要となる等の観点から、それに代わり入力済み楽譜データの量を知らしめるマークとして本実施例では入力表示マーク４４０を採用している。
【００２３】
上記音階表示部４３４は、上述した如く上記五線譜領域４３３に表示された音符の音階をドレミ表記で表示するものであり、楽譜に精通していないユーザであっても上記五線譜領域４３３に表示された音符の音階を容易に確認できるようにするためのものである。このため、上記ドレミ表記は、各音符の直下に対応付けて表示される。
【００２４】
上記高低表記領域４３５は、上述した如く上記五線譜領域４３３に表示された音符の音階が実際にはト音記号が付された上記五線譜領域４３３に属する高さの音、即ち上記基本音階範囲の音階か、この範囲より低い又は高い音階かをを示す記号を表記される。具体的には、上記基本音階範囲より低い音階の音符に対応しては逆三角形マークが表示され、上記基本音階範囲より高い音階の音符に対応しては三角形マークが表示され、上記基本音階範囲内の音階の音符に対応した位置には何も表示されない。これにより、上述した音符の色分けによる高低表示に不慣れなユーザであっても、容易に音階の高低を認識できる。
【００２５】
上記パート表示領域４３６は、上述した如く、上記五線譜領域４３３に表示された音符（楽譜データ）が複数のパートの中のいずれのパートのものであるかを示すもので、具体的には本実施例では４パート構成であるため各パートに１〜４の番号（以下、パート番号と称す。）を付してこの番号を上記表示領域４３６に表示すると共に、その時点で上記五線譜領域４３３に表示された楽譜が所属するパート番号を他のパート番号と異なった形態で表示する。図４に示した状態では、パート番号「２」の表示形態が異なるため、上記五線譜領域４３３に表示された音符はパート番号「２」のパートの楽譜であることとなる。なお、上記五線譜領域４３３へ他のパートの楽譜を表示させたい場合には、上記パート表示領域４３６のパート番号上をタッチすることにより、タッチされたパート番号のパートの楽譜が上記五線譜領域４３３に切換表示される。
【００２６】
上記スクロールバー４３８は、上記五線譜領域４３３に表示されたパートの楽譜が上記五線譜領域４３３内に表示しきれない場合に、上記楽譜を左右スクロールさせて全楽譜を表示させるためのものであり、図４中、黒塗りの長方形部分をタッチしながら左右にスライドさせるか、或いは左右端の矢尻マークをタッチすることにより上記五線譜領域４３３の音符が左右にスクロールする。
【００２７】
上記基礎データ表示領域４３７における曲名は、保存時等においてユーザが任意に入力設定するものであり、またテンポは後述するように図６に示すポップアップ表示画面上で設定された値が表示される。
【００２８】
上記スコアシート４５０は、図５に示す如く、全パートの楽譜を表示するために上述したパート番号毎に五線譜が表示された全パート表示領域４５１及び上記パートシート４３０同様の基礎データ表示領域４３７と、スクロールバー４３８とを備える。
【００２９】
上記全パート表示領域４５１の各パートの五線譜上には、上述のパートシート４３０上で入力された楽譜データが各パート毎に一覧表示されることとなり、譜面上で全てのパートを確認することが出来る。
【００３０】
尚、図５上には記載していないが、上記スコアシート４５０においても、全パート表示領域４５１の全パートに対応する五線譜に跨って入力表示マーク４４０が表示され、これにより各パート間の音符位置の把握が容易となる。
【００３１】
次に、上記曲設定領域４１４がタッチされた際の動作について説明するに、例えば図4に示した状態において上記曲設定領域４１４がタッチされると、表示部2の表示状態は図6に示す如く、各パート毎の再生時の音色（楽器の種類）及び再生速度（テンポ）を入力するためのポップアップ表示画面５００が最前面に表示される。
【００３２】
該ポップアップ表示画面５００は、テンポ選択入力領域５０１、各パート毎の音色選択入力領域５０２〜５０５、上記各入力領域５０１〜５０５において選択入力されたテンポ及び／又は音色を有効とするための実行領域５０６、及び上記選択入力を無効とするための中止領域５０７を有する。
【００３３】
テンポ設定は、上記テンポ選択入力５０１上をタッチすることにより６０拍／分から１７０拍／分迄の間で任意に選択できる。また、各パートの音色は、各パートの音色選択入力領域５０２〜５０５上をタッチすることにより夫々、ピアノ、バイオリン、ギター等複数の楽器より１つを任意に選択できる。更に、実行領域５０６又は中止領域５０７をタッチすると上記各選択入力が有効又は無効となると共に上記ポップアップ表示画面５００は消去し、元の画面に戻る。尚、上記ポップアップ表示画面５００が表示された時点では、以前に選択入力されて有効となっているテンポ及び音色が表示される。また、上記テンポ及び音色の初期設定は１２０及びピアノとなっており、ユーザが選択入力しない限りこの初期設定が有効となる。
【００３４】
尚、本実施例では、音階の高低により五線譜上の音符を色分けして表示するようにしたが、例えば破線、太線、反転等他の表示形態を用いて利用して区分け表示しても良く、その場合には表示部２としてモノクロ表示のものも利用できる。
【００３５】
【発明の効果】
本発明によれば、表示部に表示された楽譜の曲頭からの位置を簡単に把握できるため、表示部に表示された部分楽譜の曲全体における位置を判別し易くなる。
【図面の簡単な説明】
【図１】本発明を適用してなる携帯端末装置の一実施例を示す上面図である。
【図２】本実施例装置の動作を説明するための要部模式図である。
【図３】本実施例装置の動作を説明するための要部模式図である。
【図４】本実施例装置の動作を説明するための要部模式図である。
【図５】本実施例装置の動作を説明するための要部模式図である。
【図６】本実施例装置の動作を説明するための要部模式図である。
【符号の説明】
２      表示部
４３３  五線譜領域
４４０  マーク
【図１】
0003762651.tif 000002
【図２】
0003762651.tif 000003
【図３】
0003762651.tif 000004
【図４】
0003762651.tif 000005
【図５】
0003762651.tif 000006
【図６】
0003762651.tif 000007